(57)【要約】【課題】吊架台の部材の点数を少なくしてコストを低減すると共に、建物躯体の横長部材に取付ける箇所を少なくして施工時の作業を簡単にする浴室ユニット設置構造の提供。【解決手段】浴室ユニット設置用吊架台２０は、浴槽３１の設置側において、浴槽３１の長辺に沿って延びて建物躯体の横長部材１，２の間に架けた一本の浴槽側吊架台２１と、洗い場防水パン３２の設置側において、浴槽側吊架台２１と浴槽側吊架台２１に対面する建物躯体の洗い場側横長部材３との間に架けた二本の洗い場側吊架台２２，２２とを備え、浴槽側吊架台２１及び洗い場側吊架台２２，２２で浴槽を支持し、洗い場側吊架台２１で洗い場防水パン３２を支持したこと。【選択図】図１
2008214927.tif 000002
【特許請求の範囲】
【請求項１】
建物躯体の横長部材の間に架けた浴室ユニット設置用吊架台に、浴槽及び洗い場防水パンを備えた浴室ユニットを設置した浴室ユニット設置構造において、前記吊架台は、前記浴槽の設置側において、浴槽長辺に沿って延びて建物躯体の横長部材の間に架けた一本の浴槽側吊架台と、前記洗い場防水パンの設置側において、該浴槽側吊架台と該浴槽側吊架台に対面する建物躯体の洗い場側横長部材との間に架けた二本の洗い場側吊架台とを備え、浴槽側吊架台及び洗い場側吊架台で浴槽を支持し、洗い場側吊架台で洗い場防水パンを支持したことを特徴とする浴室ユニット設置構造。
【請求項２】
前記二本の洗い場側吊架台の間に、前記浴槽の排水口と前記洗い場防水パンの排水口を連通する排水トラップ付きの連通配管具が配設された請求項１記載の浴室ユニット設置構造。
【請求項３】
前記連通配管具から延びる排水管が、一方の洗い場側吊架台の下側を通過して、前記浴室ユニットを設置する領域の外部へ延設された請求項２記載の浴室ユニット設置構造。
【請求項４】
前記連通配管具から延びる排水管が、前記建物躯体の洗い場側横長部材へ向かって前記二本の洗い場側吊架台の間を通過して、前記浴室ユニットを設置する領域の外部へ延設された請求項２記載の浴室ユニット設置構造。
【請求項５】
請求項１乃至４のいずれかに記載の浴室ユニット設置構造の施工方法において、施工現場へ前記浴槽側吊架台と前記洗い場側吊架台とを分離して搬入し、施工現場で前記浴槽側吊架台と前記洗い場側吊架台とを連結する浴室ユニット設置構造の施工方法。
【発明の詳細な説明】
【技術分野】
【０００１】
本発明は、建物躯体の横長部材（例えば、梁や土台等）の間に架けた浴室ユニット設置用吊架台に浴槽及び洗い場防水パンを備えた浴室ユニットを設置した浴室ユニット設置構造、並びに、該浴室ユニット設置構造を施工する施工方法に関する。
【背景技術】
【０００２】
従来の浴室ユニット設置構造は、図７（Ａ）の吊架台部分の平面図及び同図（Ｂ）の設置構造の縦断側面図に示す如く、浴槽６１とその一側に洗い場を形成する洗い場防水パン６２とが吊架台７０を介して建物躯体の土台６３に吊架されるものであって、土台間６３，６３で浴槽６１の長手方向に沿って設けられる吊架台７０として、洗い場の壁側に位置する第１の洗い場吊架台７１と、洗い場の浴槽側に位置する第２の洗い場吊架台７２と、浴槽の壁際に位置して支持ポール６７が立設される浴槽側吊架台７３とを備えるとともに、浴槽側吊架台７３と第２の洗い場吊架台７２との間で浴槽６１を支持しうる位置には、二本の横吊架台７４，７４が横方向架橋状に設けられているものがある（特許文献１）。
【特許文献１】特開平７−１５５２６９号公報
【発明の開示】
【発明が解決しようとする課題】
【０００３】
ところで、上記のような従来の設置構造では、第１の洗い場吊架台７１，第２の洗い場吊架台７２，浴槽側吊架台７３及び二本の横吊架台７４，７４の計５個の部材からなる吊架台７０が必要で、部材の点数が多く、コストがかさむばかりでなく、土台６３に対して第１の洗い場吊架台７１，第２の洗い場吊架台７２及び浴槽側吊架台７３の各両端部の計６箇所を取付ける必要があり、作業が面倒である。
【０００４】
また、従来の設置構造では、第１の洗い場吊架台７１と第２の洗い場吊架台７２の間に、浴槽６１の排水口と洗い場防水パン６２の排水口を連通する連通配管具６４の排水トラップ６４ａを配置して、排水トラップ６４ａと第２の洗い場吊架台７２との干渉を回避する必要があり、洗い場防水パン６２の浴槽際に洗い場防水パン６２の排水口を設ける仕様に対応させることができない。
【０００５】
更に、従来の設置構造では、平面視したとき、第２の洗い場吊架台７２と連通配管具６４とが交差するため、吊架台７０で支持する浴槽６１及び洗い場防水パン６２の支持高さ寸法が標準寸法と異なる施工現場では、第２の洗い場吊架台７２と連通配管具６４の衝突を回避させる高さ寸法の連通配管具６４を準備する必要があり、面倒である。
【０００６】
本発明は、上記課題を解決するために、吊架台の部材の点数を少なくすると共に建物躯体の横長部材に取付ける箇所を少なくでき、洗い場防水パンの浴槽際に洗い場防水パンの排水口を設ける仕様にも対応でき、連通配管具の標準の高さ寸法で各現場で対応できる浴室ユニット設置構造、並びに、吊架台の現場への搬入を容易にできる浴室ユニット設置構造の施工方法の提供を目的とする。
【課題を解決するための手段】
【０００７】
吊架台の部材の点数を少なくしてコストを低減すると共に、建物躯体の横長部材に取付ける箇所を少なくして施工時の作業を簡単にするために請求項１記載の本発明が採用した手段は、建物躯体の横長部材の間に架けた浴室ユニット設置用吊架台に、浴槽及び洗い場防水パンを備えた浴室ユニットを設置した浴室ユニット設置構造において、前記吊架台は、前記浴槽の設置側において、浴槽長辺に沿って延びて建物躯体の横長部材の間に架けた一本の浴槽側吊架台と、前記洗い場防水パンの設置側において、該浴槽側吊架台と該浴槽側吊架台に対面する建物躯体の洗い場側横長部材との間に架けた二本の洗い場側吊架台とを備え、浴槽側吊架台及び洗い場側吊架台で浴槽を支持し、洗い場側吊架台で洗い場防水パンを支持したことを特徴とする浴室ユニット設置構造である。
【０００８】
洗い場防水パンの浴槽際に洗い場防水パンの排水口を設ける仕様にも対応できると共に、連通配管具の標準の高さ寸法で各現場で対応できるようにするために請求項２記載の本発明が採用した手段は、前記二本の洗い場側吊架台の間に、前記浴槽の排水口と前記洗い場防水パンの排水口を連通する排水トラップ付きの連通配管具が配設された請求項１記載の浴室ユニット設置構造である。
【０００９】
排水トラップ付きの連通配管具から排水管を横引きしやすい構造にするために請求項３記載の本発明が採用した手段は、前記連通配管具から延びる排水管が、一方の洗い場側吊架台の下側を通過して、前記浴室ユニットを設置する領域の外部へ延設された請求項２記載の浴室ユニット設置構造である。
【００１０】
排水トラップ付きの連通配管具から排水管を横引きしやすい構造にするために請求項４記載の本発明が採用した手段は、前記連通配管具から延びる排水管が、前記建物躯体の洗い場側横長部材へ向かって前記二本の洗い場側吊架台の間を通過して、前記浴室ユニットを設置する領域の外部へ延設された請求項２記載の浴室ユニット設置構造である。
【００１１】
吊架台の輸送や現場への搬入を容易にできるようにするために請求項５記載の本発明が採用した手段は、請求項１乃至４のいずれかに記載の浴室ユニット設置構造の施工方法において、施工現場へ前記浴槽側吊架台と前記洗い場側吊架台とを分離して搬入し、施工現場で前記浴槽側吊架台と前記洗い場側吊架台とを連結する浴室ユニット設置構造の施工方法である。
【発明の効果】
【００１２】
請求項１記載の本発明に係る浴室ユニット設置構造は、吊架台の部材点数について、従来の計５個から２個少ない計３個にしてコストを低減すると共に、建物躯体の横長部材に取付ける箇所を従来の計６箇所から２箇所少ない計４箇所にして施工時の作業を簡単にすることができる。
【００１３】
請求項２記載の本発明に係る浴室ユニット設置構造は、二本の洗い場側吊架台の間に、吊架台に邪魔されることなく排水トラップ付きの連通配管具を配設できるため、洗い場防水パンの浴槽際に洗い場防水パンの排水口を設ける仕様にも対応させることが可能となると共に、連通配管具の標準の高さ寸法で各現場で対応できる。
【００１４】
請求項３記載の本発明に係る浴室ユニットの設置構造は、排水管が洗い場側吊架台の下方を通過するので、排水管の高さ位置等を調節することで排水管を横引きできる。
【００１５】
請求項４記載の本発明に係る浴室ユニットの設置構造は、排水管が吊架台を避けるので、排水管を横引きしやすい。
【００１６】
請求項５記載の本発明に係る浴室ユニットの設置構造は、浴槽側吊架台と洗い場側吊架台とを分離することで、吊架台の輸送及び現場への搬入を容易にできる。
【発明を実施するための最良の形態】
【００１７】
本発明に係る浴室ユニット設置構造（以下、「本発明設置構造」という。）及び本発明に係る浴室ユニットの設置構造の施工方法（以下、「本発明施工方法」という。）について実施の形態を示す図面に基いて説明する。
【００１８】
図１乃至図６は、本発明設置構造１０の第１の実施の形態を示すものである。図１は本発明設置構造１０の平面図であって、図（Ａ）は浴槽３１及び洗い場防水パン３２を示すものであり、図（Ｂ）は浴槽３１及び洗い場防水パン３２を省略して浴室ユニット設置用吊架台２０を示すものである。図２は本発明設置構造１０を拡大して示す正面図であって、洗い場側吊架台２２の一部を破断して示すものである。図３は建物躯体の洗い場側横長部材３を省略して本発明設置構造１０を拡大して示す右側面図である。図４は吊架台２０を示すものであって、図（Ａ）は浴槽側吊架台２１を実線で示すと共に建物躯体の横長部材１，２を２点鎖線で示した斜視図であり、図（Ｂ）は洗い場側吊架台２２を実線で示すと共に建物躯体の横長部材３及び浴槽側吊架台２１の一部を２点鎖線で示した斜視図である。図５は浴槽側吊架台２１と洗い場側吊架台２２の連結状態を示す正面断面図であって、図（Ａ）は連結具２８にビスを採用したものであり、図（Ｂ）は連結具２９にボルト・ナットを採用したものである。図６は排水管３６の横引き構造の別態様を示す平面図であり、排水管３６を破線で示すと共に浴室ユニット設置用吊架台２０を２点鎖線で示したものである。
【００１９】
本発明設置構造１０は、図１に示す如く、建物躯体の平面コ字状に配設した横長部材（例えば、梁又は土台等）１，２，３の間に架けた浴室ユニット設置用吊架台２０に、浴槽３１及び洗い場防水パン３２を隣接させて備えた浴室ユニット３０を設置したものであり、浴室ユニット設置用吊架台２０に特徴がある。なお、浴室ユニット３０は、図示は省略するが、浴槽３１と吊架台２０との間に、必要に応じて浴槽用防水パンを介在させることもある。
【００２０】
前記浴室ユニット設置用吊架台２０は、図１（Ａ）（Ｂ）に示す如く、浴槽３１の設置側Ａにおいて、浴槽長辺（矢符Ｃ方向）に沿って延びて建物躯体の横長部材１，２の間に架けた一本の浴槽側吊架台２１と、洗い場防水パン３２の設置側Ｂにおいて、浴槽側吊架台２１と浴槽側吊架台２１に対面する建物躯体の洗い場側横長部材３との間に架けた二本の洗い場側吊架台２２，２２とを備え、浴槽側吊架台２１及び洗い場側吊架台２２，２２で浴槽３１を支持し、洗い場側吊架台２２，２２で洗い場防水パン３２を支持している。吊架台２０は、各洗い場側吊架台２２を横長部材１（２）の内側より寸法Ｅの位置に配置することで、洗い場防水パン３２の縁部３２ａよりも内側を洗い場側吊架台２２，２２で支持して、洗い場防水パン３２の縁部３２ａ側を支持する場合（例えば、特開平１０−１６８９７０号公報の図１乃至図７参照）に比べて、洗い場防水パン３２の対向する縁部３２ａ，３２ａの間の中央の撓み量を小さくするようにしてある。各洗い場側吊架台２２の配置位置の寸法Ｅは、対峙する横長部材１，２の内寸法Ｄの２０〜３０％程度にしある。
【００２１】
前記浴室ユニット設置用吊架台２０における浴槽側吊架台２１は、図４（Ａ）に示す如く、横長部材からなる梁部２３と、該梁部２３の両端側に溶接する等して設けられた取着部２４，２４とを備え、建物躯体の横長部材１，２に取着部２４，２４を取着して横長部材１，２の間に梁部２３を水平に架けるようにしてある。梁部２３は、内側空洞の金属製角パイプ材で幅寸法Ｗ１（図４（Ａ）参照）が５０〜７０ｍｍ程度で高さ寸法Ｈ１が７０〜１００ｍｍ程度のものを適用している。各取着部２４は、金属板を略Ｌ字形状に折曲げ加工する等して成形したものであって、建物躯体の横長部材１，２の内側面に対応する垂直板２４ａと、垂直板２４ａに直角で横長部材１，２の上面に対応する水平板２４ｂとを備え、垂直板２４ａ及び水平板２４ｂの取付箇所に設けた挿通孔（図示省略）にビス等の取付具４０を挿通し、建物躯体の横長部材１，２に該取付具４０を螺着する等して取付けてある。
【００２２】
前記浴室ユニット設置用吊架台２０における洗い場側吊架台２２，２２の各々は、図４（Ｂ）に示す如く、横長部材からなる梁部２５と、該梁部２５の洗い場側に溶接する等して設けられた一方の取着部２６と、該梁部２５の浴槽側に溶接する等して設けられた他方の取着部２７とを備え、建物躯体の洗い場側横長部材３に一方の取着部２６を取着すると共に浴槽側吊架台２１に他方の取着部２７を連結して、建物躯体の洗い場側横長部材３と浴槽側吊架台２１との間に梁部２５を水平に架けるようにしてある。
【００２３】
前記洗い場側吊架台２２の梁部２５は、内側空洞の金属製角パイプ材で幅寸法Ｗ２（図４（Ｂ）参照）が５０〜７０ｍｍ程度で高さ寸法Ｈ２が７０〜１００ｍｍ程度のものを適用している。前記一方の取着部２６は、金属板を略Ｌ字形状に折曲げ加工する等して成形したものであって、洗い場側横長部材３の内側面に対応する垂直板２６ａと、垂直板２６ａに直角で洗い場側横長部材３の上面に対応する水平板２６ｂとを備える。前記他方の取着部２６は、垂直板２６ａ及び水平板２６ｂに設けた挿通孔（図示省略）にビス等の取付具４０を挿通し、建物躯体の洗い場側横長部材３に該取付具４０を螺着する等して取付けてある。
【００２４】
前記洗い場側吊架台２２の他方の取着部２７は、図５に示す如く、金属板を略Ｌ字形状に折曲げ加工する等して成形したものであって、浴槽側吊架台２１の梁部２３の内側面に対応する垂直板２７ａと、垂直板２７ａに直角で梁部２３の上面に対応する水平板２７ｂとを備える。浴槽側吊架台２１の梁部２３と吊架台用取着部２７の連結は、同図（Ａ）に示す如く、吊架台用取着部２７の水平板２７ｂに設けた挿通孔２７ｃにタッピングビス等の連結具２８を挿通し、梁部２３に適宜本数の連結具２８を螺着する等して連結するか、又は同図（Ｂ）に示す如く、吊架台用取着部２７の水平板２７ｂ及び梁部２３に設けた挿通孔２７ｃ，２３ａにボルト２９ａを挿通し、ボルト２９ａにナット２９ｂを緊締した連結具２９で強固に連結してもよい。
【００２５】
本発明設置構造１０は、浴室ユニット設置用吊架台２０の一本の浴槽側吊架台２１と二本の洗い場用架台２２，２２を連結して建物躯体の横長部材１，２，３に架けたとき、図３に示す浴槽側吊架台２１における水平板２４ｂの下面から梁部２３の上面までの距離Ｈ３と、図２に示す各洗い場側吊架台２２における水平板２６ｂの下面から梁部２５の上面までの距離Ｈ４とを同一にすると共に、図５に示す洗い場側吊架台２２の梁部２５の上面を延長した仮想延長線Ｓと水平板２７ｂの下面（すなわち、浴槽側吊架台２１の梁部２３の上面）とを同一高さに位置させることで、浴室ユニット設置用吊架台２０の浴槽側吊架台２１の梁部２３の上面及び洗い場側吊架台２２，２２の各梁部２５の上面が連結部を除き一つの水平な仮想平面を形成して、浴室ユニット３０の設置を簡単且つ安定よくできるようにしてある。
【００２６】
本発明設置構造１０は、浴室ユニット設置用吊架台２０を一本の浴槽側吊架台２１と二本の洗い場用架台２２，２２を連結して構成することで、吊架台の部材点数について、特許文献１に記載の従来の計５個から２個少ない計３個にしてコストを低減できると共に、建物躯体の横長部材１，２，３に取付ける箇所を従来の計６箇所から２箇所少ない計４箇所にして施工時の作業を簡単にすることができる。
【００２７】
前記洗い場防水パン３２は、図２に示す如く、上面に洗い場床面３３ａを形成する床面部３３の底面側に補強フレーム３８を介し又は介することなく複数本の脚部３５が設けられ、二本の洗い場側吊架台２２，２２の各梁部２５の上面に、高さ調節可能な脚部３５を支持させて設置してある。前記浴槽３１は、底面側に支持フレーム３９を設け、一本の浴槽側吊架台２１及び二本の洗い場側吊架台２２，２２の浴槽側に支持フレーム３９を支持させて設置するか、又は図示は省略したが、底面側に複数本の脚部を設け、一本の浴槽側吊架台２１と二本の洗い場側吊架台２２，２２の浴槽側に脚部を支持させて設置する。
【００２８】
本発明設置構造１０は、平面視したとき二本の洗い場側吊架台２２，２２と浴槽側吊架台２１と洗い場側横長部材３とで囲まれる平面領域内に浴槽３１の排水口５２と洗い場防水パン３２の排水口５１を配置すると共に、前記浴室ユニット設置用吊架台２０の二本の洗い場側吊架台２２，２２の間に、浴槽３１の排水口５２と洗い場防水パン３２の排水口５１を連通する排水トラップ３４付きの連通配管具４５を配設して、浴室ユニット設置用吊架台２０と連通配管具４５との干渉を回避できるようにすることで、洗い場防水パン３２の排水口５１を浴槽３１の際に設ける仕様にも対応させることを可能にすると共に、連通配管具４５の標準の高さ寸法Ｈ５で各現場で対応させることができるようにしてある。更に、本発明設置構造１０は、浴室ユニット設置用吊架台２０と連通配管具４５との干渉を回避できるので、浴室ユニット設置用吊架台２０に設置する浴槽３１及び洗い場防水パン３２の高さ位置を現場の仕様に応じて下げることも可能である。本例の連通配管具４５は、洗い場防水パン３２の排水口５１に排水トラップ３４を接合し、排水トラップ３４と浴槽３１の排水口５２とを連通管３７で接合してある。
【００２９】
本発明設置構造１０は、連通配管具４５から延びる排水管３６が、一方（本例では手前側であるが、奥側も可能）の洗い場側吊架台２２の下側を通過して、浴室ユニット３０を設置する領域の外部へ延設されている。この排水管３６の延設構造は、排水管３６の高さ位置等を調節することで、一方の洗い場側吊架台２２の下方を潜るように排水管３６を通過させて簡単に横引きできる。
【００３０】
前記連通配管具４５から延びる排水管３６の横引きの別態様としては、図６に示す如く、連通配管具４５から延びる排水管６１が、建物躯体の洗い場側横長部材３へ向かって二本の洗い場側吊架台２２，２２の間を通過して、浴室ユニット３０を設置する領域の外部へ延設されたものがある。この排水管３６の延設構造は、排水管３６が洗い場側吊架台２２，２２を避けるので排水管３６を横引きしやすい。
【００３１】
本発明設置構造１０を施工する本発明施工方法は、次の手順で行われる。先ず、施工現場へ、浴槽側吊架台２１と洗い場側吊架台２２，２２と連結具２８（２９）と取付具４０とをそれぞれ分離した状態でコンパクトにまとめて輸送・搬入し、次に、施工現場で一本の浴槽側吊架台２１と二本の洗い場側吊架台２２，２２とを連結具２８（２９）で連結して浴室ユニット設置用吊架台２０を組み立てる。続いて、組み立てた浴室ユニット設置用吊架台２０の一本の浴槽側吊架台２１と二本の洗い場側吊架台２２，２２とを建物躯体の平面コ字状に配設した横長部材１，２，３の間に架けて取付具４０で取付し、最後に、架設した浴室ユニット設置用吊架台２０の上に浴槽３１及び洗い場防水パン３２を支持させて浴槽３１及び洗い場防水パン３２の設置を完了する。
【図面の簡単な説明】
【００３２】
【図１】本発明設置構造の実施の形態を示すものであって、本発明設置構造の平面図であり、図（Ａ）は浴槽及び洗い場防水パンを示し、図（Ｂ）は浴槽及び洗い場防水パンを省略して浴室ユニット設置用吊架台を示す。
【図２】同実施の形態において、本発明設置構造を拡大して示す正面図であって、洗い場側吊架台の一部を破断して示すものである。
【図３】同実施の形態において、建物躯体の洗い場側横長部材を省略して本発明設置構造を拡大して示す右側面図である。
【図４】同実施の形態において、本発明設置構造の吊架台を示すものであって、図（Ａ）は浴槽側吊架台を実線で示すと共に建物躯体の横長部材を２点鎖線で示した斜視図であり、図（Ｂ）は洗い場側吊架台を実線で示すと共に建物躯体の横長部材及び浴槽側吊架台の一部を２点鎖線で示した斜視図である。
【図５】同実施の形態において、本発明設置構造の浴槽側吊架台と洗い場側吊架台の連結状態を示す正面断面図であって、図（Ａ）は連結具にビスを採用したものであり、図（Ｂ）は連結具にボルト・ナットを採用したものである。
【図６】同実施の形態において、排水管の横引き構造の別態様を示す平面図であり、排水管を破線で示すと共に浴室ユニット設置用吊架台を２点鎖線で示したものである。
【図７】従来の浴室ユニット設置構造を示すものであって、図（Ａ）は吊架台部分の平面図、図（Ｂ）は設置構造の縦断側面図である。
【符号の説明】
【００３３】
１，２，３…建物躯体の横長部材（例えば、梁や土台）  １０…浴室ユニット設置構造
２０…浴室ユニット設置用吊架台  ２１…浴槽側吊架台  ２２…洗い場側吊架台
３０…浴室ユニット  ３１…浴槽  ３２…洗い場防水パン  ３４…排水トラップ
３６…排水管  ４５…連通配管具
【図１】
2008214927.tif 000003
【図２】
2008214927.tif 000004
【図３】
2008214927.tif 000005
【図４】
2008214927.tif 000006
【図５】
2008214927.tif 000007
【図６】
2008214927.tif 000008
【図７】
2008214927.tif 000009